(57)【要約】【課題】再生装置の実質的な品質指標と相関の強い品質値を得る。【解決手段】ＭＡＥ回路９は、ＬＭＳ回路８から与えられる等化誤差（ＦＩＲフィルタ５の出力値と目標値との差）の絶対値の平均値をこの再生装置の品質値ＭＡＥとして出力する。制御回路１０は、ＭＡＥ回路９からの品質値ＭＡＥと所定の基準値ｄとを比較し、比較の結果に応じて制御信号ＣＴ１−ＣＴ５を出力する。制御信号ＣＴ１に応答してアナログフィルタ３はフィルタ特性を変更する。制御信号ＣＴ２に応答してＬＭＳ回路８はＬＭＳアルゴリズムのステップサイズを変更する。制御信号ＣＴ３に応答してＦＩＲフィルタ５はタップ数およびタップ係数の設定値を変更する。【選択図】　図１
2004005893.tif 000002
【特許請求の範囲】
【請求項１】
記録媒体からの再生信号の高域雑音を除去しかつ特定帯域を増幅するアナログフィルタと、
前記アナログフィルタからの再生信号をデジタル信号に変換するＡ／Ｄ変換器と、
自身の出力と目標値との誤差が小さくなるようにタップ係数を調整しつつ前記Ａ／Ｄ変換器からの再生信号を波形等化する適応型等化フィルタと、
前記適応型等化フィルタの出力と前記目標値との差に基づいて品質値を算出する品質値算出回路と、
前記品質値算出回路によって算出された品質値と所定の基準値とを比較し、比較の結果に応じて前記品質値を向上させるための処理を行う制御回路とを備えることを特徴とする信号処理装置。
【請求項２】
請求項１において、
記録媒体に固有の参照情報とパラメータとを対応づけて記憶するメモリをさらに備え、
前記パラメータは、対応する参照情報を有する記録媒体を再生する際における品質値が前記基準値よりも小さくなるように前記アナログフィルタおよび前記適応型等化フィルタを調整するためのパラメータである
ことを特徴とする信号処理装置。
【請求項３】
請求項２において、
前記制御回路は、
再生すべき記録媒体の参照情報と前記メモリに記憶された参照情報とが一致するとき、当該参照情報に対応づけられて前記メモリに記憶されているパラメータに従って前記アナログフィルタおよび前記適応型等化フィルタを調整する
ことを特徴とする信号処理装置。
【請求項４】
請求項２において、
前記制御回路は、
再生すべき記録媒体の参照情報と前記メモリに記憶された参照情報とが一致するとき、前記品質値算出回路の動作を停止させる
ことを特徴とする信号処理装置。
【請求項５】
請求項１において、
前記適応型等化フィルタは、
前記Ａ／Ｄ変換器からの再生信号をＰＲ等化し、
前記品質値算出回路は、
前記適応型等化フィルタの各出力レベルについて、対応する目標値との差に基づいて品質値を算出する
ことを特徴とする信号処理装置。
【請求項６】
請求項５において、
前記制御回路は、
前記品質値算出回路によって算出された各品質値に応じて前記適応型等化フィルタのタップ係数に重み付けする
ことを特徴とする信号処理装置。
【請求項７】
請求項１において、
前記品質値算出回路は、
前記適応型等化フィルタの出力と前記目標値との差の絶対値の一定時間内における平均値を算出し、算出した平均値を品質値とする
ことを特徴とする信号処理装置。
【請求項８】
請求項１において、
前記品質値算出回路によって算出された品質値を表示するディスプレイをさらに備える
ことを特徴とする信号処理装置。
【請求項９】
請求項１において、
前記制御回路は、
前記比較の結果に応じて、前記アナログフィルタのフィルタ特性を変更する
ことを特徴とする信号処理装置。
【請求項１０】
請求項１において、
前記制御回路は、
前記比較の結果に応じて、前記適応型等化フィルタのタップ係数の更新を止める
ことを特徴とする信号処理装置。
【発明の詳細な説明】
【０００１】
【発明の属する技術分野】
この発明は信号処理装置に関し、さらに詳しくは、磁気ディスクや光ディスク等の記録媒体からの再生信号を処理する信号処理装置に関する。
【０００２】
【従来の技術および発明が解決しようとする課題】
磁気ディスクや光ディスクの再生装置では、ディスクに記録されたデータを正しく再生できる度合い（品質）は製品ごとにばらつきがある。したがって磁気ディスクや光ディスクの再生装置には、その装置の品質を評価する機能が搭載されている。そして、品質が悪い場合には種々の調整が行われ、その装置の品質が改善される。たとえば製品出荷前の検査時や、製品出荷後に装置の調子が悪くなったときなどに装置の品質評価および調整が行われる。
【０００３】
再生装置の品質を評価する方法として、再生データのビットエラーレート（ｂＥＲ）を測定し、これを品質値とする方法が考えられる。この方法により得られる品質値は、再生装置の実質的な品質指標と最も相関があるデータとして信頼性がある。しかし、リアルタイムにデータ処理を行うことが困難でありかつ扱うデータ量が多いため回路規模が増大し実用的ではない。
【０００４】
【特許文献１】
特開２０００−２００４６２号公報
【０００５】
【課題を解決するための手段および発明の効果】
この発明による信号処理装置は、アナログフィルタと、Ａ／Ｄ変換器と、適応型等化フィルタと、品質値算出回路と、制御回路とを備える。アナログフィルタは、記録媒体からの再生信号の高域雑音を除去しかつ特定帯域を増幅する。Ａ／Ｄ変換器は、アナログフィルタからの再生信号をデジタル信号に変換する。適応型等化フィルタは、自身の出力と目標値との誤差が小さくなるようにタップ係数を調整しつつＡ／Ｄ変換器からの再生信号を波形等化する。品質値算出回路は、適応型等化フィルタの出力と目標値との差に基づいて品質値を算出する。制御回路は、品質値算出回路によって算出された品質値と所定の基準値とを比較し、比較の結果に応じて上記品質値を向上させるための処理を行う。
【０００６】
好ましくは、上記信号処理装置はメモリをさらに備える。メモリは、記録媒体に固有の参照情報とパラメータとを対応づけて記憶する。パラメータは、対応する参照情報を有する記録媒体を再生する際における品質値が上記基準値よりも小さくなるようにアナログフィルタおよび適応型等化フィルタを調整するためのパラメータである。
【０００７】
好ましくは、上記制御回路は、再生すべき記録媒体の参照情報とメモリに記憶された参照情報とを比較し、一致するときは、当該参照情報に対応づけられてメモリに記憶されているパラメータに従ってアナログフィルタおよび適応型等化フィルタを調整する。
【０００８】
好ましくは、上記制御回路は、再生すべき記録媒体の参照情報とメモリに記憶された参照情報とが一致するとき、品質値算出回路の動作を停止させる。
【０００９】
好ましくは、上記適応型等化フィルタは、Ａ／Ｄ変換器からの再生信号をＰＲ等化する。上記品質値算出回路は、適応型等化フィルタの各出力レベルについて、対応する目標値との差に基づいて品質値を算出する。
【００１０】
好ましくは、上記制御回路は、品質値算出回路によって算出された各品質値に応じて適応型等化フィルタのタップ係数に重み付けする。
【００１１】
好ましくは、上記品質値算出回路は、適応型等化フィルタの出力と目標値との差の絶対値の一定時間内における平均値を算出し、算出した平均値を品質値とする。
【００１２】
好ましくは、上記信号処理装置はディスプレイをさらに備える。ディスプレイは、品質値算出回路によって算出された品質値を表示する。
【００１３】
好ましくは、上記制御回路は、上記比較の結果に応じて、アナログフィルタのフィルタ特性を変更する。
【００１４】
好ましくは、上記制御回路は、上記比較の結果に応じて、適応型等化フィルタのタップ係数の更新を止める。
【００１５】
本発明によれば、ディスク製造時のアシンメトリ現象等に起因する上下非対称な波形やディスク反り返り等に起因するチルトディスクがシステムに及ぼす影響を比較的簡単な回路構成で補正可能である。また、定量的に伝送路の品質が時間軸で判別できるためシステムへのフィードバックがリアルタイムに行える。したがって、本発明を既存の各種信号処理と組み合わせることにより伝送路の品質を補償することで信号処理の性能が向上するだけでなく、品質の補償が可能となる信号処理装置が得られる。
【００１６】
【発明の実施の形態】
以下、この発明の実施の形態を図面を参照して詳しく説明する。なお、図中同一または相当部分には同一の符号を付しその説明は繰り返さない。
【００１７】
＜光ディスク再生装置の全体構成＞
図１は、この発明の実施の形態による光ディスク再生装置の全体構成を示すブロック図である。図１に示す再生装置は、ＰＲＭＬ（Ｐａｒｔｉａｌ　Ｒｅｓｐｏｎｓｅ　ＭａｘｉｍｕｍＬｉｋｅｌｉｈｏｏｄ）信号処理技術を用いて光ディスクからの再生信号を処理する。図１に示す再生装置は、ピックアップ１と、可変ゲインアンプ（ＶＧＡ）２と、アナログフィルタ３と、Ａ／Ｄ変換器４と、トランスバーサルフィルタ（ＦＩＲフィルタ）５と、自動利得制御回路（ＡＧＣ）６と、ビタビ復号器７と、ＬＭＳ（Ｌｅａｓｔ　Ｍｅａｎ　Ｓｑｕａｒｅ）回路８と、ＭＡＥ（Ｍｅａｎ　Ａｂｓｏｌｕｔｅ　Ｅｒｒｏｒ）回路９と、制御回路１０と、メモリ１１と、ディスプレイ１２と、ＴＯＣ検出部１３とを備える。
【００１８】
ピックアップ１は、光ディスクＯＤ上のピットにレーザを照射して得られる反射光を電気信号に変換し再生信号として出力する。
【００１９】
ＶＧＡ２は、ＡＧＣ６からの利得制御信号に応じた利得でピックアップ１からの再生信号を増幅する。
【００２０】
アナログフィルタ３は、ＶＧＡ２からの再生信号の高域雑音を除去しかつ特定帯域を増幅する。特定帯域を増幅するのは、再生信号の周波数特性をＰＲ特性に等化するためである。アナログフィルタ３は、制御回路１０からの制御信号ＣＴ１に応じてそのフィルタ特性（ブースト量，カットオフ周波数など）を変えることができる。
【００２１】
Ａ／Ｄ変換器４は、アナログフィルタ３からの再生信号をデジタル信号に変換する。
【００２２】
ＬＭＳ回路８は、ＬＭＳ（最小２乗平均）アルゴリズムを用いてタップ係数（フィルタ係数）を算出しＦＩＲフィルタ５へ出力する。ＬＭＳ回路８は、ＦＩＲフィルタ５の出力値と目標値との誤差（等化誤差）が小さくなるようにタップ係数を更新する。ＬＭＳ回路８は、タップ係数の算出過程において得られる等化誤差（ＦＩＲフィルタ５の出力値と目標値との誤差）をＭＡＥ回路９へ出力する。ＬＭＳ回路８は、制御回路１０からの制御信号ＣＴ２に応答して動作／停止する。ＬＭＳ回路８は、制御回路１０からの制御信号ＣＴ２に応じてＬＭＳアルゴリズムのステップサイズを変えることができる。
【００２３】
ＦＩＲフィルタ５には、ＬＭＳ回路８によって算出されたタップ係数（フィルタ係数）が設定される。ＦＩＲフィルタ５は、Ａ／Ｄ変換器４からの再生信号を波形等化する。ＦＩＲフィルタ５は、タップ数およびタップ係数の設定値を制御回路１０からの制御信号ＣＴ３に応じて変えることができる。なお、ＬＭＳ回路８とＦＩＲフィルタ５とで適応型等化フィルタが構成される。この適応型等化フィルタは、Ａ／Ｄ変換器４からの再生信号をＰＲ等化する。
【００２４】
ＡＧＣ６は、ＦＩＲフィルタ５からの再生信号と所定の基準値との差に応じたレベルの利得制御信号を出力する。
【００２５】
ビタビ復号器７は、ＦＩＲフィルタ５からの再生信号をビタビアルゴリズムを用いて復号して再生データを得る。
【００２６】
ＭＡＥ回路９は、ＬＭＳ回路８から与えられる等化誤差（ＦＩＲフィルタ５の出力値と目標値との差）の絶対値の平均値をこの再生装置の品質値ＭＡＥとして出力する。ＭＡＥ回路９は、制御回路１０からの制御信号ＣＴ４に応答して動作／停止する。
【００２７】
制御回路１０は再生装置全体の動作を制御する。制御回路１０は、ＭＡＥ回路９からの品質値ＭＡＥと所定の基準値ｄとを比較し、比較の結果に応じて制御信号ＣＴ１−ＣＴ５を出力する。制御回路１０は、メモリ１１に対してデータの書き込み／読み出しを行う。制御回路１０は、メモリ１１に記憶されているデータに応じて制御信号ＣＴ１−ＣＴ４を出力する。
【００２８】
メモリ１１には、ディスクのＴＯＣと再生装置の各種パラメータとが対応づけられて記憶される。
【００２９】
ディスプレイ１２は、制御回路１０からの制御信号ＣＴ５に応答してＭＡＥ回路９からの品質値ＭＡＥを表示する。
【００３０】
ＴＯＣ検出部１３は、光ディスクＯＤからＴＯＣを読み出す。
【００３１】
＜品質評価および調整＞
次に、図１に示した光ディスク再生装置による品質評価および調整処理について図２を参照しつつ説明する。
【００３２】
［ステップＳＴ２０１］
まず、光ディスクＯＤからＴＯＣが読み出される。ＴＯＣは光ディスクＯＤそのものの参照情報であり、違法コピー対策やソフトの目次などに用いられている。
【００３３】
［ステップＳＴ２０２］
制御回路１０は、ステップＳＴ２０１において読み出されたＴＯＣとメモリ１１に記憶されているＴＯＣとを比較する。メモリ１１には、図３に示すように、ＴＯＣ（ｔ１，ｔ２，・・・）とパラメータ（ｐ１１〜ｐ１３，ｐ２１〜ｐ２３，・・・）とが対応づけられて記憶されている。パラメータ（ｐ１１，ｐ２１，・・・）は、アナログフィルタ３のフィルタ特性を調整するためのパラメータである。パラメータ（ｐ１２，ｐ２２，・・・）は、ＦＩＲフィルタ５のタップ数およびタップ係数の設定値を調整するためのパラメータである。パラメータ（ｐ１３，ｐ２３，・・・）は、ＬＭＳ回路８において実行されるＬＭＳアルゴリズムのステップサイズを調整するためのパラメータである。これらのパラメータは、対応するＴＯＣを有するディスクを再生する際の再生装置の品質値ＭＡＥが基準値ｄよりも小さくなるようにアナログフィルタ３・ＦＩＲフィルタ５・ＬＭＳ回路８を調整するためのパラメータである。すなわち、これらのパラメータに基づいてアナログフィルタ３・ＦＩＲフィルタ５・ＬＭＳ回路８を調整すれば、対応するＴＯＣを有するディスクを再生する際の再生装置の品質値ＭＡＥが基準値ｄよりも小さくなる。
【００３４】
ステップＳＴ２０１において読み出されたＴＯＣとメモリ１１に記憶されているＴＯＣのいずれか１つとが一致するときはステップＳＴ２０３にすすむ。いずれとも一致しないときはステップＳＴ２０５にすすむ。
【００３５】
［ステップＳＴ２０５］
ステップＳＴ２０１において読み出されたＴＯＣとメモリ１１に記憶されているＴＯＣのいずれもが一致しないとき制御回路１０は、ＭＡＥ回路９を活性化するための制御信号ＣＴ４をＭＡＥ回路９に与える。これに応答してＭＡＥ回路９は動作を開始する。
【００３６】
［ステップＳＴ２０６］
ＭＡＥ回路９は、ＦＩＲフィルタ５の出力値と目標値（目標等化レベルとされる理論値）との差分値（等化誤差）に基づいて、以下に示す数１に従って品質値ＭＡＥを算出する。
【００３７】
【数１】
2004005893.tif 000003
【００３８】
ここで、ＴＧＤＴは目標値、ＦＩＲＤＴはＦＩＲフィルタ５の出力値、ｎは累積加算する回数を示す。
【００３９】
ＭＡＥ回路９の内部構成を図４に示す。ＭＡＥ回路９は、絶対値回路９１と、累積加算回路９２と、除算回路９３と、カウンタ９４とを含む。絶対値回路９１は、ＬＭＳ回路８からの等化誤差（ＦＩＲフィルタ５の出力値と目標値との誤差）の絶対値を算出する。累積加算回路９２は、絶対値回路９１によって算出された絶対値をカウンタ９４にて制御された数（ここではｎ）だけ累積加算する。除算回路９３は、累積加算回路９２によって累積加算された値を制御数（ここではｎ）で除算（正規化）して品質値ＭＡＥとして出力する。そして正規化後、ＭＡＥは初期化され再びＭＡＥの演算を行うループ処理が開始される。
【００４０】
［ステップＳＴ２０７］
制御回路１０は、ＭＡＥ回路９によって算出された品質値ＭＡＥと基準値ｄとを比較する。基準値ｄは、再生装置に要求されるビットエラーレートに応じて定められる。品質値ＭＡＥが基準値ｄよりも小さいときはステップＳＴ２０８にすすむ。品質値ＭＡＥが基準値ｄ以上のときはステップＳＴ２１０にすすむ。
【００４１】
［ステップＳＴ２１０］
品質値ＭＡＥが基準値ｄ以上の場合には以下のように各種の調整が行われ、再生装置の品質値ＭＡＥの向上（改善）が図られる。
【００４２】
＜品質値ＭＡＥをディスプレイ１２に表示＞
制御回路１０は、活性の制御信号ＣＴ５をディスプレイ１２に与える。これに応答してディスプレイ１２は、ＭＡＥ回路９からの品質値ＭＡＥをデジタル表示する。これにより、品質値ＭＡＥが視覚的に明瞭になる。ディスプレイ１２に表示された品質値ＭＡＥを元に再生装置の性能（品質）を向上させるための様々な調節が行われる。たとえば、ディスプレイ１２に表示された品質値ＭＡＥを参照しつつレーザパワーの制御を行う。すなわち、レーザパワーの強弱を調整しフォーカスを合わせることで光ディスクＯＤからの読み出しを明瞭にする。これにより、ピックアップ１におけるデータの読み出しがより正確となる。
【００４３】
＜アナログフィルタ３のフィルタ特性の調整＞
制御回路１０は、フィルタ特性を変更するための制御信号ＣＴ１をアナログフィルタ３に与える。この制御信号ＣＴ１に応答してアナログフィルタ３は、フィルタ特性（たとえばブースト値などのパラメータ）を変える。このように、品質値ＭＡＥを参照してアナログフィルタ３の最適化を図る。アナログフィルタ３を初期設定し、そのときの品質値ＭＡＥを検出する。誤り訂正の限界であると判断された場合はアナログフィルタ３のブースト値を変化させフィルタ特性の最適状態に収束させる。最適状態へ収束した後は不必要な設定を行うことを防ぐことができる。
【００４４】
＜タップ係数の更新停止＞
制御回路１０は、不活性の制御信号ＣＴ２をＬＭＳ回路８に与える。これに応答してＬＭＳ回路８は動作を停止する。ＬＭＳ回路８の動作停止に応答してＦＩＲフィルタ５のタップ係数の更新が停止する。
【００４５】
＜その他＞
その他、ＬＭＳアルゴリズムのステップサイズの変更、ＦＩＲフィルタ５のタップ数の変更などの処理が行われる。
【００４６】
上述の各種調整処理は単独でまたは２つ以上を組み合わせて行われる。
【００４７】
［ステップＳＴ２１１］
各種調整処理が終了すると、ディスクＯＤ上のデータの再読み出しが行われる。そしてステップＳＴ２０６にもどりふたたび品質値ＭＡＥの算出が行われる。
【００４８】
［ステップＳＴ２０８］
ＭＡＥ回路９によって算出された品質値ＭＡＥが基準値ｄよりも小さいとき、制御回路１０は不活性の制御信号ＣＴ４をＭＡＥ回路９に与える。これに応答してＭＡＥ回路９は動作を停止する。このように制御信号ＣＴ４に応答してＭＡＥ回路９の動作／非動作が選択されスリープ機能が働くため消費電力を低減することができる。
【００４９】
［ステップＳＴ２０９］
次に制御回路１０は、ＴＯＣとパラメータとを対応づけてメモリ１１に書き込む。このパラメータは、品質値ＭＡＥが基準値ｄよりも小さくなった時点におけるアナログフィルタ３のフィルタ特性・ＦＩＲフィルタ５のタップ数およびタップ係数の設定値・ＬＭＳ回路８において実行されるＬＭＳアルゴリズムのステップサイズを示す。
【００５０】
［ステップＳＴ２０３］
ステップＳＴ２０１において読み出されたＴＯＣとメモリ１１に記憶されているＴＯＣのいずれか１つとが一致するとき制御回路１０は、当該ＴＯＣに対応づけて記憶されているパラメータをメモリ１１から読み出す。
【００５１】
［ステップＳＴ２０４］
ステップＳＴ２０３において読み出したパラメータに従って制御回路１０は制御信号ＣＴ１−ＣＴ３を出力する。制御信号ＣＴ１に応答してアナログフィルタ３はフィルタ特性を変更する。制御信号ＣＴ２に応答してＬＭＳ回路８はＬＭＳアルゴリズムのステップサイズを変更する。制御信号ＣＴ３に応答してＦＩＲフィルタ５はタップ数およびタップ係数の設定値を変更する。
【００５２】
上述のとおり、メモリ１１に記憶されているパラメータは、対応するＴＯＣのディスクを再生する際の品質値ＭＡＥが基準値ｄよりも小さくなった時点におけるアナログフィルタ３のフィルタ特性・ＦＩＲフィルタ５のタップ数およびタップ係数の設定値・ＬＭＳ回路８において実行されるＬＭＳアルゴリズムのステップサイズを示す。
【００５３】
ＴＯＣが同じということは同じ記録媒体であることを意味するので、ディスクのアシンメトリ量・チルト角等は同じ値であることは自明である。よって再生装置における誤り訂正能力の限界も必然的に同じであるといえるので品質値ＭＡＥを再度計算する必要はない。
【００５４】
＜効果＞
この発明の実施の形態による光ディスク再生装置では、ＦＩＲフィルタ５の出力と理想値（目標値）との差（等化誤差）の絶対値を一定時間内で累積加算し平均値をとり再生装置の品質値ＭＡＥとしている。したがって、回路規模の増大を抑えつつ、再生装置の実質的な品質指標と相関の強い品質値を得ることができる。
【００５５】
また、ＭＡＥ回路９は、ＬＭＳ回路８におけるタップ係数の算出過程で得られる等化誤差（ＦＩＲフィルタ５の出力値と目標値との誤差）を利用しているため、ＭＡＥ回路９の回路規模を小さくすることができる。
【００５６】
また、ディスクから読み出されたＴＯＣとメモリ１１に記憶されているＴＯＣのいずれか１つとが一致するときは、当該ＴＯＣに対応づけて記憶されているパラメータをメモリ１１から読み出し、読み出したパラメータに従って各種の設定を行う。これにより、同じディスクについては品質値ＭＡＥを再度計算する必要がなくなり、処理量を少なくすることができる。
【００５７】
以上のように本発明の実施形態によれば、ディスク製造時のアシンメトリ現象等に起因する上下非対称性なディスクやディスク反り返り等に起因するチルトディスクがシステムに及ぼす影響を比較的簡単な回路構成で補正可能である。また、図５におけるＭＡＥの値が示すように定量的に伝送路の品質が時間軸で判別できるためシステムへのフィードバックがリアルタイムに行える。したがって、本発明を既存の各種信号処理と組み合わせることにより伝送路の品質を補償することで信号処理の性能が向上するだけでなく、品質の補償が可能となる信号処理装置が得られる。
【００５８】
なお、ここでは光ディスク再生装置に本発明を適用した場合について説明したが磁気ディスク再生装置についても同様に本発明を適用することができる。
【００５９】
＜変形例＞
ＰＲ（３，４，４，３）ＭＬ方式を用いた場合、図６に示すように、ＦＩＲフィルタ５の出力は５つのレベルａ〜ｅに分かれる。ステップＳＴ２０６において、これら５つのレベルａ〜ｅの各々について品質値ＭＡＥａ〜ＭＡＥｅを算出するようにしてもよい。これにより以下のような効果が得られる。
【００６０】
波形上下非対称（Ａｓｙｍｍｅｔｒｙ）現象などのためうまく信号処理がなされていない場合、ＦＩＲフィルタ５の出力ａ〜ｅのうち一部の波形が途中からひずむことがある。この状態のまま品質値ＭＡＥをトータルで（レベルごとに分けずに）演算した場合、図７（ａ）に示すようにＭＡＥの値が変動する。ところがこれでは波形のどの部分がひずんでいるか特定できない。
【００６１】
これに対して図７（ｂ）に示すようにＦＩＲフィルタ５の５つの出力レベルａ〜ｅの各々について品質値ＭＡＥａ〜ＭＡＥｅを算出した場合には、どの部分がひずんでいるかを特定することができる。図７（ｂ）に示した例では、品質値ＭＡＥａ，ＭＡＥｂが極端に悪くなっている。すなわち、ＦＩＲフィルタ５の出力レベルａ〜ｅのうちレベルａ，ｂの部分が極端にひずんでいることになる。
【００６２】
さらに、ＦＩＲフィルタ５の出力レベルａ〜ｅの各々について算出した品質値ＭＡＥａ〜ＭＡＥｅに応じてＬＭＳアルゴリズムのステップサイズを変更（重み付け）することにより演算を早く収束させることができる。たとえば、ひずみを特定できた部分（図７（ｂ）の例では出力レベルａ，ｂ）に関するステップサイズをそれ以外の部分（図７（ｂ）の例では出力レベルｃ，ｄ，ｅ）に関するステップサイズよりも大きくする。このようにタップ係数を重み付けすることでトータルの演算を早く処理できる。
【図面の簡単な説明】
【図１】この発明の実施の形態による光ディスク再生装置の全体構成を示すブロック図である。
【図２】図１に示した光ディスク再生装置による品質評価および調整処理の流れを示すフローチャートである。
【図３】図１に示したメモリに記憶されているＴＯＣおよびパラメータの一例を示す。
【図４】図１に示したＭＡＥ回路の内部構成を示すブロック図である。
【図５】図１に示したＭＡＥ回路によって得られる品質値の時間的推移を示す。
【図６】ＰＲ（３，４，４，３）ＭＬ方式を用いた場合におけるＦＩＲフィルタの出力を示す。
【図７】（ａ）は、ＦＩＲフィルタの出力レベルごとに分けずに品質値を算出した場合の品質値の時間的推移を示す。（ｂ）は、ＦＩＲフィルタの出力レベルごとに品質値を算出した場合の品質値の時間的推移を示す。
【符号の説明】
３　アナログフィルタ、４　Ａ／Ｄ変換器、５　ＦＩＲフィルタ（適応型等化フィルタ）、８　ＬＭＳ回路（適応型等化フィルタ）、９　ＭＡＥ回路（品質値算出回路）、１０　制御回路、１１　メモリ、１２　ディスプレイ。
【図１】
2004005893.tif 000004
【図２】
2004005893.tif 000005
【図３】
2004005893.tif 000006
【図４】
2004005893.tif 000007
【図５】
2004005893.tif 000008
【図６】
2004005893.tif 000009
【図７】
2004005893.tif 000010